(57)【特許請求の範囲】
【請求項１】
通信方法であって、該方法は、
送信機から、既知帯域内の少なくとも２つの信号周波数を用いて、少なくとも１つの信号を送信するステップと、
送信機及び受信機の間で、既知帯域内の少なくとも２つの信号周波数を、既知帯域とは異なるチャネルデバイスの指定帯域であって、既知帯域よりも狭い指定帯域内の信号周波数にシフトして変換するステップであって、既知帯域における少なくとも２つの信号周波数の間の周波数差が、指定帯域における変換された信号周波数の間の周波数差と相違するように変換するステップと、
指定帯域内の少なくとも２つの信号周波数を、チャネルデバイスを通じて供給するステップと、
チャネルデバイスの後段で、指定帯域における少なくとも２つの信号周波数を、受信用の既知帯域の信号周波数に変換するステップと
を含むことを特徴とする方法。
【請求項２】
通信システムであって、該システムは、
少なくとも１つの通信デバイスと、
第１の周波数トランスフォーマと、
チャネルデバイスと、
第２の周波数トランスフォーマと
を備えており、
少なくとも１つの通信デバイスは、既知帯域内の少なくとも２つの信号周波数を送信するよう構成されており、
第１の周波数トランスフォーマは、既知帯域内の少なくとも１つの信号の少なくとも２つの信号周波数を、該既知帯域とは異なるチャネルデバイスの指定帯域であって、既知帯域よりも狭い指定帯域内の信号周波数にシフトして、既知帯域内の少なくとも２つの信号周波数の間の周波数差が、指定帯域内の変換された信号周波数の間の周波数差と相違するように変換して、指定帯域の信号周波数をチャネルデバイスに供給するよう構成されており、
チャネルデバイスは、指定帯域内の信号周波数を受信及び出力するよう構成され、かつ送受信を行うそれぞれの通信デバイスの間に存在しており、
第２の周波数トランスフォーマは、チャネルデバイスによって出力された指定帯域の少なくとも２つの信号周波数を、既知帯域内の信号周波数に再変換するよう構成されており、
少なくとも１つの通信デバイスは、既知帯域内の信号周波数を受信するよう構成されている
ことを特徴とする通信システム。
【請求項３】
請求項２記載の通信システムにおいて、該システムはさらに、
各通信デバイスのためのサーキュレータと、
結合器と
分割器と
を備えており、
各サーキュレータは、通信デバイス、チャネルデバイスの入力及びチャネルデバイスの出力、と接続され、かつ、チャネルデバイスの入力及び出力を分離するよう構成されており、結合器は、少なくとも２つの送信通信デバイスからの周波数を結合するよう構成されており、分割器は、少なくとも２つの受信通信デバイス用に周波数を分割するよう構成されていることを特徴とする通信システム。
【請求項４】
チャネルシステムであって、該システムは、
第１の周波数トランスフォーマと、
チャネルデバイスと
第２の周波数トランスフォーマと
を備えており、
第１の周波数トランスフォーマは、既知帯域内の少なくとも２つの信号周波数を受信し、該信号周波数を、該既知帯域とは異なる指定帯域であって、既知帯域よりも狭い指定帯域内の信号周波数にシフトして、既知帯域内の少なくとも２つの信号周波数の間の周波数差が、指定帯域内の変換された信号周波数の間の周波数差と相違するように変換するよう構成されており、
チャネルデバイスは、少なくとも１つの送信機及び少なくとも１つの受信機の間にあり、指定帯域内の信号周波数を受信かつ出力するよう構成されており、
第２の周波数トランスフォーマは、指定帯域内の信号周波数を受信し、該指定帯域内の少なくとも２つの信号周波数を既知帯域内の信号周波数に再変換して、得られた既知帯域内の各信号周波数を少なくとも１つの受信機に転送するよう構成されている
ことを特徴とするチャネルシステム。
【請求項５】
請求項４記載のチャネルシステムにおいて、チャネルデバイスは、チャネルエミュレータであることを特徴とするシステム。
【請求項６】
請求項４記載のチャネルシステムにおいて、チャネルデバイスは、リピータであることを特徴とするシステム。
【請求項７】
請求項４記載のチャネルシステムにおいて、チャネルデバイスは、有線電話線であることを特徴とするシステム。
【請求項８】
周波数マニピュレータであって、
第１の周波数トランスフォーマと、
第２の周波数トランスフォーマと
を備えており、
第１の周波数トランスフォーマは、少なくとも１つの送信機から、既知帯域内の少なくとも１つの信号の複数の信号周波数のそれぞれを受信し、該複数の信号周波数の内の少なくとも２つの信号周波数を、既知帯域とは異なる指定帯域であって、既知帯域よりも狭いチャネルデバイスの指定帯域の信号周波数に、既知帯域における少なくとも２つの信号周波数の周波数差が指定帯域の信号周波数の周波数差と相違するように、シフトして変換して、指定帯域内の各信号周波数をチャネルデバイスに転送するよう構成されており、
第２の周波数トランスフォーマは、チャネルデバイスから各信号周波数を受信し、指定帯域の各信号周波数を既知帯域の信号周波数に再変換して、既知帯域内の各信号周波数を少なくとも１つの受信機に転送するよう構成されている
ことを特徴とするマニピュレータ。
【発明の詳細な説明】
【技術分野】
【０００１】
本発明は、トランシーバ及び受信機間の通信方法に関する
【背景技術】
【０００２】
電気通信システムは、システムの帯域幅を制限するモジュールを有していることが多い。例えば、アップリンク及びダウンリンクの伝送間の帯域をカバーする帯域幅が、数十メガヘルツ又は数百メガヘルツになるようなFDD（周波数分割二重通信）システムは、無線チャネルのエミュレータ内に、少なくとも２つの無線チャネルを必要とする。これは、無線チャネルのエミュレータ内の１つのチャネルの帯域幅は、アップリンク及びダウンリンクの両方を含むことができる程には広くないためである。同様に、TDD（時分割二重通信）システムも無線チャネルのエミュレータ内に２つのチャネルを必要とする。これは、アップリンクのチャネルがダウンリンクのチャネルとは相違するためである。
【０００３】
無線チャネルのエミュレータでの無線チャネルの過剰使用は、リソースの無駄使い、システムの複雑化、及び、必要とされる無線チャネルの数が、無線チャネルのエミュレータ内の使用可能な無線チャネルの数よりも多くなる状況に至る可能性につながる。帯域幅がボトルネックになっていることにより、多くの通信システムが同様の問題を抱えている。したがって、より良好なシステムが求められている。
【発明の概要】
【０００４】
本発明は、向上された通信方法を提供するものである。本発明の一態様によれば、送受信間において、少なくとも１つの信号の既知の帯域を、チャネルデバイスの指定の帯域に変換するステップと、指定の帯域内の少なくとも１つの信号を、チャネルデバイスを通じて供給するステップと、チャネルデバイスより後で、少なくとも１つの信号の指定の帯域を、受信のために既知の帯域に再変換するステップとを含んでいる通信方法である。
【０００５】
本発明の別の態様では、少なくとも１つの通信デバイスと、周波数トランスフォーマと、チャネルデバイスと、周波数を再変換するトランスフォーマ（frequency retransformer：周波数再トランスフォーマ)とを備えた、通信システムを提供する。このシステムにおいて、少なくとも１つの通信デバイスは、既知の帯域内の少なくとも１つの周波数を送信するよう構成されており、周波数トランスフォーマは、既知の帯域を指定の帯域に変換して、指定の帯域をチャネルデバイスに供給するよう構成されており、チャネルデバイスは、指定の帯域内で受信及び出力するよう構成され、かつ各送信通信デバイス及び各受信通信デバイス間に存在しており、周波数再トランスフォーマは、チャネルデバイスによって出力された指定の帯域を、既知の帯域に再変換するよう構成されており、少なくとも１つの受信通信デバイスは、既知の帯域内の少なくとも１つの周波数を受信するよう構成されている。
【０００６】
本発明の別の態様では、周波数トランスフォーマと、チャネルデバイスと、周波数を再変換する周波数再トランスフォーマとを備えた、チャネルシステムを提供する。このシステムにおいて、周波数トランスフォーマは、少なくとも１つの送信機から既知の帯域内の少なくとも１つの信号のそれぞれを受信し、各信号の既知の帯域を指定の帯域に変換するよう構成されており、チャネルデバイスは、少なくとも１つの送信機及び少なくとも１つの受信機の間に存在して、指定の帯域内の各信号を受信かつ出力するよう構成されており、周波数再トランスフォーマは、指定の帯域内の各信号を受信し、各信号の指定の帯域を既知の帯域に再変換して、既知の帯域内の各信号を少なくとも１つの受信機に転送するよう構成されている。
【０００７】
本発明の別の態様では、周波数トランスフォーマと、周波数再トランスフォーマとを備えた、周波数マニピュレータが提供される。ここで、周波数トランスフォーマは、少なくとも１つの送信機から、既知の帯域内の少なくとも１つの信号のそれぞれを受信し、各信号の既知の帯域を指定の帯域に変換して、指定の帯域内の各信号をチャネルデバイスに転送するよう構成されており、周波数再トランスフォーマは、チャネルデバイスから各信号を受信し、各信号の指定の帯域を既知の帯域に再変換して、既知の帯域内の各信号を少なくとも１つの受信機に転送するよう構成されている。
本発明は、信号の周波数を、チャネルデバイスに適した帯域へシフトさせることを可能にする。
【図面の簡単な説明】
【０００８】
【図１】通信システムを示す図である。
【図２】異なる周波数で互いに向けて送信するトランシーバを示す図である。
【図３】２つの周波数が互いにより近接するシフトを示す図である。
【図４】共通周波数の信号の分離を示す図である。
【図５】周波数分離の拡大を示す図である。
【図６】通信システム内のチャネルデバイスの入力及び出力の分離を示す図である。
【図７】方法を示すフロー図である。
【発明を実施するための形態】
【０００９】
以下に記す実施形態は、さまざまな無線システムにおける無線周波数信号に関連している。適用例は、例えば３GPP（第３世代パートナーシッププロジェクト）のLTE（ロングタームエボリューション）等を含んでいる。また、CDMA(符号分割多重接続）、WCDMA（ワイドバンドCDMA）、FDMA（周波数分割多元接続）、TDMA（時分割多元接続）OFDMA（直交周波数分割多元接続）、WiMAX(ワイマックス：Worldwide Interoperability for Microwave Access）等の、種々の物理層多重接続技術とともに応用される。
【００１０】
図１を参照して、送信機１００が、少なくとも１つの信号を２つの周波数で受信機１０８に送信する、通信システムの一例を検討する。通信システムはさらに、周波数トランスフォーマ１０２、チャネルデバイス１０４及び周波数トランスフォーマ１０６を備えている。チャネルデバイス１０４を介して通信するために、通常、２以上の送信機が周波数トランスフォーマ１０２に接続され、かつ２以上の受信機が周波数トランスフォーマ１０６に接続される。送信機１００は無線システムの基地局であり、受信機１０８は無線システムのユーザ端末である。逆の場合は、受信機１０８が基地局であり、送信機１００がユーザ端末である。
【００１１】
送信機１００（又は複数の送信機）は、既知の帯域内の少なくとも１つの信号を送信する。この例では、送信機１００は２つの別個の信号１１０及び１１２を異なるキャリア周波数ｆ１及びｆ２で送信する。既知の帯域は、第１のキャリア周波数ｆ１から最終のキャリア周波数ｆ２に至るまでの周波数を含んでいる。周波数の数は、一般に３以上である。
【００１２】
周波数トランスフォーマ１０２は、既知の帯域を指定の帯域に変換する。既知の帯域の変換には、少なくとも１つの信号の周波数をシフトさせることが含まれている。この例では、周波数ｆ２の信号１１２が、周波数ｆ３に移されており、ここでｆ１＞ｆ３＞ｆ２、又はｆ１＜ｆ３＜ｆ２であり、いずれの場合においても｜ｆ１−ｆ３｜＜｜ｆ1−ｆ２｜である。したがって、指定の帯域の方が既知の帯域よりも狭い。指定の帯域は、チャネルデバイス１０４の特性帯域である。チャネルデバイス１０４は、指定の帯域外では適切に動作しないと考えられる。
【００１３】
チャネルデバイス１０４は、送信機及び受信機の間を伝搬する信号に対して、送信機及び受信機の間に位置しているのが通常である。システムが複数の送信機及び受信機を有している場合は、チャネルデバイス１０４は、少なくとも１つの送信機及び少なくとも１つの受信機の間にある。この例では、チャネルデバイス１０４は送信機１００及び受信機１０８間に位置している。チャネルデバイス１０４は指定の帯域内の各信号を受信かつ出力する。
【００１４】
周波数トランスフォーマ１０６は、チャネルデバイス１０４によって出力された各信号を受け取って、指定の帯域を既知の帯域に再変換する。この例では、周波数ｆ３の信号１１２が周波数ｆ２に戻るようシフトされる。全ての周波数が元に戻るようシフトされるのが通常である。
受信機１０８は、既知の帯域内の少なくとも１つの信号を受信する。少なくとも１つの受信機のそれぞれが、既知の帯域内の少なくとも１つの信号を受信するのが通常である。
【００１５】
図２は、第１のトランシーバ２００が周波数ｆ１で信号を送信し、周波数ｆ２で信号を受信し、かつ第２のトランシーバ２０８が周波数ｆ２で信号を送信し、周波数ｆ１で信号を受信するような実施形態を表している。周波数の数は、さらに多くてもよい。この種の通信は、FDDシステムで発生する。この例では、第１の周波数トランスフォーマ２０２は、第１のトランシーバ２００によって送信された信号２１０の周波数ｆ１をシフトさせない。しかし、周波数トランスフォーマ２０２は、周波数ｆ３でチャネルデバイス１０４から第１のトランシーバ２００へ伝搬していく信号２１２を、周波数ｆ２にシフトさせる。ここでｆ１＞ｆ３＞ｆ２、又はｆ１＜ｆ３＜ｆ２であり、いずれの場合においても｜ｆ１−ｆ３｜＜｜ｆ1−ｆ２｜である。したがって、第１の周波数トランスフォーマ２０２は、第１のトランシーバ２００からチャネルデバイス１０４の方向では、既知の帯域（周波数ｆ１〜ｆ２）を指定の帯域（周波数ｆ１〜ｆ３）に変換することによって、周波数トランスフォーマ１０２のように動作する。同様に、第１の周波数トランスフォーマ２０２は、チャネルデバイス１０４から第１のトランシーバ２００の方向では、既知の帯域を指定の帯域に変換することによって、周波数を再変換する周波数トランスフォーマ１０６のように動作する。
【００１６】
チャネルデバイス１０４は、周波数ｆ１で第１のトランシーバ２００から第２のトランシーバ２０８に伝搬していく信号を受信する。
第２の周波数トランスフォーマ２０６は、チャネルデバイス１０４から周波数ｆ１で信号を受信し、第２の周波数トランスフォーマ２０６は、同一の周波数ｆ１で信号を出力する。第２の周波数トランスフォーマ２０６は、周波数ｆ２の信号をｆ３にシフトさせる。したがって、第２の周波数トランスフォーマ２０６は、チャネルデバイス１０４から第１のトランシーバ２００の方向では、指定の帯域を既知の帯域に変換することによって、周波数を再変換する周波数トランスフォーマ１０６のように動作する。同様に、第２の周波数トランスフォーマ２０６は、第１のトランシーバ２００からチャネルデバイス１０４の方向では、既知の帯域を指定の帯域に変換することによって、周波数トランスフォーマ１０２のように動作する。
【００１７】
チャネルデバイス１０４は、ｆ２からｆ３にシフトされた信号を、第２の周波数トランスフォーマ２０６から受信する。第１の周波数トランスフォーマ２０２及び第２の周波数トランスフォーマ２０６における周波数のシフトにより、チャネルデバイス１０４は、指定の帯域内の各信号を受信し出力する。
図１及び２にでは、チャネルデバイス１０４は、無線チャネルのエミュレータ、リピータ、有線電話線、等である。チャネルデバイス１０４は、さまざまな周波数でさまざまな応答特性を有していてよい。送信機１００、受信機１０８、トランシーバ２００及び２０８は、通信システム内の通信デバイスである。
【００１８】
図３は、２つの周波数が互いにより近接するようなシフトを示している。縦軸は周波数で、横軸は時間であり、両方とも任意のスケール上にある。図１及び図２に示された例とは若干異なり、両方の周波数がシフトされる。周波数（ｆ１０）３００は、周波数（ｆ１１）３０２にシフトされ、周波数（ｆ１３）３０４は周波数（ｆ１２）３０６にシフトされる。これらの周波数の関係は、ｆ１３＜ｆ１２＜ｆ１１＜ｆ１０である。また、ｆ１３＜ｆ１１＜ｆ１２＜ｆ１０の関係になるように周波数をシフトさせることも可能である。
【００１９】
図４は、１つの周波数からの周波数分離を示している。分離した周波数をより互いに近接させる代わりに、周波数トランスフォーマ１０２は、共通の周波数４００を、指定の帯域内のＮ数の異なる周波数４０２〜４０６に分離して、各信号が独自の周波数を持つようにする。それから、これらの分離周波数がチャネルデバイス１０４に供給される。
【００２０】
ＴＤＤシステムでは、パーティ間の通信は、共通の周波数で生じる。ダウンリンク通信及びアップリンク通信を異なる周波数に分離することにより、例えば、エミュレーションにおいて１つの無線チャネルを両方向のために使用することができる。なぜなら、チャネルエミュレータにおいて、異なる周波数は異なるチャネル特性を有するからである。
【００２１】
図５は、既存の周波数分離が拡大されている実施形態を示している。Ｎ数の近接する周波数５０２〜５０６は、異なる周波数４０２〜４０６に周波数トランスフォーマ１０２で分離されて、各信号が独自の周波数を有することになる。２つの隣り合う周波数の間の間隙は、ΔHz（平均で）であり、周波数を再変換するトランスフォーマ１０６の後では、間隙は例えば１０ΔHzである。そして、これらの分離された周波数が、チャネルデバイス１０４に供給される。周波数を相互にさらに分離することにより、例えば全ての周波数に対して、チャネルエミュレータの１つの無線チャネルを使用することができる。これは、周波数間の差が充分に大きいことにより、チャネルエミュレータ内での異なるチャネル特性を実現できるからである。
【００２２】
周波数トランスフォーマ１０６は、分離された周波数４０２〜４０６がチャネルデバイス１０４を通過した後に、同一の周波数４００、すなわち、より互いに近接した元の周波数５０２〜５０６に戻す。
さらに、通信システムは、チャネルデバイス１０４における経路損失に従って各信号を減衰させる第２の減衰器１１４を備えている。
【００２３】
チャネルエミュレータは、送信機及び受信機の間の無線チャネルをシミュレート又はエミュレートするために使用される。無線チャネルをシミュレートするデバイスを用いて、希望のタイプの無線チャネルを、自由にシミュレートすることが可能である。デジタル無線チャネルシミュレータにおいて、異なる遅延によって遅延された信号が、チャネル係数すなわちタップ係数によって重み付けされるよう、チャネルモデル及び入力信号間の畳み込みを形成するFIR（有限インパルス応答）フィルタで、チャネルはモデル化されているのが通常であり、重み付けされた信号成分は加算される。モデルのチャネル係数は、実際のチャネルの振る舞いに相当するよう修正される。モデルは、人工的に生成されるか、又は希望の環境内での測定に基づいて生成される。
【００２４】
リピータは、信号を再生成する。無線リピータは、無線周波数信号を受信かつ再送信する。リピータは送信されたデータを検出することはしないが、信号の電力及びタイミングを変更する。例えば、リピータは山頂に設けられており、山の片側から信号を受け取って、その信号を山のもう一方の側に再送信することにより、山の両側間のコネクションを可能にしている。
【００２５】
電話線は、狭帯域の周波数を転送するために用いられる任意の種類のワイヤである。通常の電話線は、音響周波数の帯域のみを転送する。しかし、なんらかの別の周波数帯域が、電話線の動作可能な帯域にシフトされてもよく、これは既知の帯域から指定の帯域（電話線の）への変換に相当する。したがって、一実施形態では、無線周波数の代わりに音響周波数が用いられている。
【００２６】
一般に、周波数トランスフォーマ１０２は、指定の帯域よりも広い既知の帯域内の少なくとも１つの信号の少なくとも２つの周波数を受信し、指定の帯域外にある少なくとも１つの周波数を、指定の帯域にシフトさせる。周波数トランスフォーマ１０６は、シフトされた少なくとも１つの周波数を既知の帯域に戻す。該少なくとも１つの周波数は、指定の帯域の外に位置するものである。
【００２７】
送信機１００（又は複数の送信機）は、指定の帯域よりも狭い既知の帯域内の、少なくとも１つの信号の少なくとも２つの周波数を送信する。周波数トランスフォーマ１０２は、最大で指定の帯域と同等の広さの帯域を占有するために、少なくとも２つの周波数の間の間隙を増大させる。周波数トランスフォーマ１０６は、少なくとも２つの周波数の間隙を既知の帯域まで低減させる。
【００２８】
図６は、例えばFDDデュプレクス・ディスタンス・コンプレッサ-エキスパンダに適した実施形態を示している。無線システムの基地局である第１のトランシーバ２００は、第１のサーキュレータ６００へ伝搬する信号を送信する。第１のサーキュレータ６００は、信号をA dB減衰する減衰器６０２に供給する。第１のトランシーバの送信電力は大き過ぎるため、任意のデバイスに直接入力することができない。例えば、基地局は１０W（すなわち、＋４０ｄBm）で送信する。したがって、減衰器６０２は、０ｄBｍのレベルを達成するために４０ｄBの減衰を有している。減衰された信号は、結合器６０４に入力される。結合器６０４は、第１のトランシーバ２００からの信号及び第２のトランシーバ２０８からの信号を同一のラインに結合する。結合器６０４は、RF（無線周波数）加算素子である。結合された信号は、チャネルデバイス１０４に入力する。チャンネルデバイスの次に、結合された信号は、周波数トランスフォーマ１０６に入力する。周波数トランスフォーマ１０６は異なるトランシーバからの信号のデュプレクス距離(duplex distance)を変更する。これは、周波数の分散が戻されることを意味している。周波数トランスフォーマ１０６の次に、信号は、所望の方法で信号を減衰する経路損失減衰器６０６に入力する。経路損失減衰器６０６は、経路損失減衰器１１４に類似している。それから信号は、分割器６０８に入る。分割器６０８は、信号の一部を第２のサーキュレータ６１０へ、信号の別の部分を第１のトランシーバ２００へ分割する。分割器６０８は、RFの分離素子である。信号がサーキュレータ６１０に入ると、サーキュレータ６１０は、第１のトランシーバ２００によって送信された信号を受信するよう構成された第２のトランシーバ２０８へ、信号を転送する。第２のトランシーバ２０８は、無線システムのユーザ端末である。
【００２９】
第１のトランシーバ２０８が信号を送信すると、信号は第２のサーキュレータ６１０へ伝搬し、第２のサーキュレータ６１０は信号を、B dB減衰する減衰器６１２へ転送する。減衰器６１２は、第２のトランシーバ２０８の送信電力を、減衰器６０２の後の第１のトランシーバ２００のものと同一レベルにする。第２のトランシーバはユーザ端末なので、その送信電力は１W〜２W（すなわち、＋３０ｄBm）である。したがって、減衰器６１２の減衰は、約３０ｄBである。適宜の減衰の後に、信号は、周波数トランスフォーマ１０２へ伝搬し、ここで既知の帯域が指定の帯域へ変換される。この例では、周波数ｆ２を指定の帯域に移動するために、第２のトランシーバ２０８によって送信された信号の周波数ｆ２は、第１のトランシーバ２００によって送信された信号の周波数ｆ１により近接するようシフトされる。この例では、周波数ｆ１は、指定の帯域内にある。シフト後に、第２のトランシーバ２０８によって送信された信号、及び第１のトランシーバ２００によって送信された信号は、結合器６０４において同一のラインに結合される。結合された信号は、チャネルデバイス１０４を通じて伝搬されると、周波数トランスフォーマ１０６が、周波数ｆ２の信号を周波数ｆ３にシフトするように、信号の周波数をシフトさせる。周波数ｆ１の信号は、この例ではシフトされない。信号は経路損失減衰器６０６を通過すると、分割器６０８に入り、ここで信号の一部が、減衰（A-B)ｄBのポテンシャル減衰器６１４に供給される。減衰器６１２における減衰を考慮すると、全部でAｄBの減衰をもたらす。このように、減衰の合計は両方向で同一になる。信号はさらに、第１のサーキュレータ６００に伝搬し、該サーキュレータは信号を第１のトランシーバ２００に転送する。第１のトランシーバ２００は、第２のトランシーバ２０８によって送信された信号を受信するよう構成される。
【００３０】
サーキュレータ６００及び６１０のそれぞれは、通信デバイス２００及び２０８、チャネルデバイス１０４の入力及びチャネルデバイス１０４の出力と接続されている。サーキュレータ６００及び６１０のそれぞれは、チャネルデバイス１０４の入力及び出力を分離する。
周波数ｆ１及びｆ２の両方をシフトさせる必要がある場合には、周波数トランスフォーマ１０２を結合器６０４及びチャネルデバイス１０４の間に配置する必要がある。
【００３１】
周波数トランスフォーマ１０２は、各周波数すなわち既知の帯域を指定の帯域へシフトさせるために、ミキサ及びフィルタを備えている。ミキサでは、ある周波数の信号すなわち帯域ｆが、局部発振器の周波数ｆ0の信号で乗算される。乗算された信号は、周波数ｆ＋ｆ0の信号及び周波数ｆ−ｆ0の信号を形成し、周波数ｆが上方及び下方のいずれにシフトされたかに応じて、いずれか一方の信号がフィルタリングされる。ミキサの代わりに、制御可能な非線形電子部品又は回路が用いられてもよい。
【００３２】
チャネルデバイス１０４の帯域幅に関連する問題を避けるために、周波数トランスフォーマ１０２及び周波数トランスフォーマ１０６を備えた周波数マニピュレータが用いられる。無線チャンネルをエミュレートするために、周波数トランスフォーマ１０２、チャネルデバイス１０４、及び周波数を再変換するトランスフォーマ１０６を備えたチャネルシステムが用いられる。
【００３３】
図７は、本発明の方法のフロー図を示している。ステップ７００において、送受信間で、少なくとも１つの信号の既知の帯域が、チャネルデバイスの指定の帯域に変換される。ステップ７０２において、指定の帯域内の少なくとも１つの信号が、チャネルデバイスを通じて供給される。ステップ７０４において、チャンネルデバイスの後で、受信用の少なくとも１つの信号の指定の帯域が、既知の帯域に再変換される。
【００３４】
本発明は、添付図面に係る例を参照して上述されたが、これに制限されるものではないことは明らかであり、添付の請求項の範囲内でいくつかの方法で修正することが可能である。
【図１】
0005351978.tif 000002
【図２】
0005351978.tif 000003
【図３】
0005351978.tif 000004
【図４】
0005351978.tif 000005
【図５】
0005351978.tif 000006
【図６】
0005351978.tif 000007
【図７】
0005351978.tif 000008